(57)【要約】【課題】表面に段差が形成されたドアとの間に生じる隙間を小さくできる止水部材を提供する。【解決手段】止水部材５０が、浴室用のドア枠３０を構成する下枠部３２に固定される固定部５２と、固定部５２と一体形成され、ドア枠３０の左右方向に延び、浴室内側の端部５８Ａ側がドア枠３０に取り付けられるドア４０の浴室外側の表面４０Ａに接触する弾性シール部５８と、弾性シール部５８に設けられ、表面４０Ａに形成された段差４６に対向する位置に配置される切り込み部６２と、を備えること。【選択図】図６
2015190207.tif 000002
【特許請求の範囲】
【請求項１】
浴室用のドア枠の下枠部に固定される固定部と、
前記固定部と一体形成され、前記ドア枠の左右方向に延び、前記ドア枠に取り付けられるドアの浴室外側の表面に接触する弾性シール部と、
前記弾性シール部に設けられ、前記ドアの浴室外側の表面に形成された段差と対向する位置に配置される切り込み部と、
を備える止水部材。
【請求項２】
前記弾性シール部と一体形成され、前記弾性シール部よりも上方に位置し、前記左右方向に延びて前記弾性シール部を上方から覆うカバー部、を備える請求項１に記載の止水部材。
【請求項３】
前記カバー部は、前記ドアの浴室外側の表面に接触する、請求項２に記載の止水部材。
【請求項４】
前記弾性シール部は、前記左右方向が長手方向とされた板状とされ、前記浴室外側から浴室内側に向かって下方に傾斜している、請求項１〜３のいずれか１項に記載の止水部材。
【請求項５】
浴室のドア枠と、
前記ドア枠に取り付けられ、浴室外側の表面に段差が形成されたドアと、
請求項１〜４のいずれか１項に記載された止水部材と、
を備えるドアの止水構造。
【発明の詳細な説明】
【技術分野】
【０００１】
本発明は、止水部材及びドアの止水構造に関する。
【背景技術】
【０００２】
特許文献１には、浴室のドア枠の下枠部に固定された弾性を有する止水部材の板状部を、ドアの表面に接触させてドアとドア枠との間を止水するドアの止水構造が開示されている。
【先行技術文献】
【特許文献】
【０００３】
【特許文献１】特開２０１３−５００００号公報
【発明の概要】
【発明が解決しようとする課題】
【０００４】
しかしながら、例えば、ドアの表面に左右方向に段差が形成された場合、止水部材の板状部が段差に沿うように変形できずに、段差周辺部分に隙間が生じることがある。
【０００５】
本発明は、上記事実を考慮して成されたものであり、表面に段差が形成されたドアとの間に生じる隙間を小さくできる止水部材、及び表面に段差が形成されたドアと止水部材との間に生じる隙間を小さくできるドアの止水構造を提供することを課題とする。
【課題を解決するための手段】
【０００６】
本発明の請求項１に記載の止水部材は、浴室用のドア枠の下枠部に固定される固定部と、前記固定部と一体形成され、前記ドア枠の左右方向に延び、前記ドア枠に取り付けられるドアの浴室外側の表面に接触する弾性シール部と、前記弾性シール部に設けられ、前記ドアの浴室外側の表面に形成された段差と対向する位置に配置される切り込み部と、を備えている。
【０００７】
請求項１に記載の止水部材では、ドアを閉じると、弾性シール部がドアの浴室外側の表面に接触する。ここで、弾性シール部に切り込み部を設け、その切り込み部をドアの上記表面に形成された段差に対向する位置に配置していることから、弾性シール部の切り込み部を挟んで左右両側の部分が段差を挟んで左右両側の上記表面にそれぞれ接触するため、例えば、弾性シール部に上記切り込み部が設けられない構成と比べて、ドアとの間に生じる隙間を小さくできる。
【０００８】
請求項２に記載の発明の止水部材は、請求項１に記載の止水部材において、前前記弾性シール部と一体形成され、前記弾性シール部よりも上方に位置し、前記左右方向に延びて前記弾性シール部を上方から覆うカバー部、を備えている。
【０００９】
請求項２に記載の止水部材では、切り込み部が設けられた弾性シール部をカバー部で上方から覆うため、外観性の低下を抑制することができる。
【００１０】
請求項３に記載の発明の止水部材は、請求項２に記載の止水部材において、前記カバー部は、前記ドアの前記表面に接触する。
【００１１】
請求項３に記載の止水部材では、ドアを閉じると、カバー部がドアの浴室外側の表面に接触するため、カバー部によって弾性シール部に設けられた切り込み部を確実に覆うことができる。
【００１２】
請求項４に記載の発明の止水部材は、請求項１〜３のいずれか１項に記載の止水部材において、前記弾性シール部は、前記左右方向が長手方向とされた板状とされ、前記浴室外側から浴室内側に向かって下方に傾斜している。
【００１３】
請求項４に記載の止水部材では、板状の弾性シール部を浴室外側から浴室内側に向かって下方に傾斜させていることから、ドアを閉じると、ドアの浴室外側の表面に弾性シール部の板面（上面）が接触する。このように、弾性シール部を浴室外側から浴室内側に向かって下方に傾斜させることで、弾性シール部がドアの上記表面に接触したときの弾性シール部の変形方向を一定に定めることができる。これにより、弾性シール部がドアの上記表面に対してねじれて隙間が発生することを抑制することができる。
【００１４】
請求項５に記載の発明のドアの止水構造は、浴室のドア枠と、前記ドア枠に取り付けられ、浴室外側の表面に段差が形成されたドアと、請求項１〜４のいずれか１項に記載された止水部材と、を備えている。
【００１５】
請求項５に記載のドアの止水構造では、ドアを閉じると、請求項１〜４のいずれか１項に記載された止水部材が備える弾性シール部がドアの浴室外側の表面に接触する。ここで、弾性シール部の切り込み部を挟んで左右両側の部分が段差を挟んで左右両側の上記表面にそれぞれ接触するため、止水部材とドアとの間に生じる隙間を小さくできる。
【発明の効果】
【００１６】
以上説明したように、本発明に係る止水部材によれば、表面に段差が形成されたドアとの間に生じる隙間を小さくできる。
また、本発明に係るドアの止水構造によれば、表面に段差が形成されたドアと止水部材との間に生じる隙間を小さくできる。
【図面の簡単な説明】
【００１７】
【図１】第１実施形態のドアの止水構造の縦断面図である。
【図２】図１の矢印２Ｘで指し示す部分の拡大図である。
【図３】第１実施形態の止水部材を斜め下方から見た斜視図である。
【図４】図３の４Ｘ−４Ｘ線断面図である。
【図５】第１実施形態のドアの下部を浴室外側で斜め上方から見た斜視図である。
【図６】第１実施形態のドア枠の下枠部に取り付けた止水部材を上方から見た上面図である。
【図７】第１実施形態のドアの止水構造において、ドアを閉じたときの止水部材の変形状態を示す、ドア枠の下枠部を斜め上方から見た斜視図である。
【図８】図７の矢印８Ｘで指し示す部分の拡大図である。
【図９】図８の９Ｘ−９Ｘ線断面図である。
【図１０】図８の１０Ｘ−１０Ｘ線断面図である。
【発明を実施するための形態】
【００１８】
以下、本発明の止水部材及びドアの止水構造の一実施形態について説明する。
図１に示されるように、本実施形態のドアの止水構造は、浴室用のドア枠３０と、このドア枠３０に回転自在に取り付けられる浴室用のドア４０と、ドア枠３０と閉じた状態のドア４０との間を止水する本実施形態の止水部材５０と、を備えている。
【００１９】
以下では、浴室Ｒの壁に形成された開口部にドア枠３０を取り付けた状態でドア枠３０を浴室外側から見たときに、上下となる方向を上下方向、左右となる方向を左右方向（言い換えると、ドア枠３０の幅方向）、浴室内外方向を奥行き方向として示す。なお、図１の矢印ＵＰはドア枠３０の上方を示し、矢印Ｄは奥行き方向を示し、図６の矢印Ｗはドア枠３０の左右方向を示している。
【００２０】
図１及び図６に示されるように、ドア枠３０は、矩形状とされ、浴室Ｒの壁に形成された開口部（図示省略）に取り付けられる。このドア枠３０は、上枠部３１、下枠部３２、左側の竪枠部３３及び右側の竪枠部３４を含んで構成されている。
【００２１】
図１及び図２に示されるように、下枠部３２の上面（言い換えると、ドア枠内側の表面）３２Ａは、浴室外側が浴室内側よりも上方に位置するように奥行き方向の中間部分に段差３６が形成されている。
【００２２】
段差３６には、左右方向に沿って延びる挿入溝３７が形成されている。この挿入溝３７は、開口部分の溝幅が他の部分よりも狭く（上下方向の長さが短く）なっている。また、挿入溝３７内には、後述する止水部材５０の固定部５２の膨出部５２Ｃが挿入配置されるようになっている。
【００２３】
図１及び図５に示されるように、ドア４０は、矩形状とされ、浴室外側の表面４０Ａに左右方向に段差４６が形成されている。具体的には、本実施形態のドア４０は、上框４１、下框４２、左側の竪框４３、右側の竪框４４及びこれらの框の間に配置される半透明又は透明の樹脂パネル４５を含んで構成されており、下框４２と左右の竪框４３、４４との各々の接合部分に段差４６が形成されている。なお、本実施形態では、下框４２よりも左右の竪框４３、４４の奥行き方向の長さが長くなっているが、本発明はこの構成に限定されない。
【００２４】
図１及び図２に示されるように、下枠部３２には止水部材５０が取り付けられている。この止水部材５０は、弾性材料（例えば、オレフィン系等のエラストマーやゴム）で形成され、下枠部３２の延在方向（本実施形態では、左右方向）に沿って延びている。なお、本実施形態では、止水部材５０が下枠部３２の左右方向の全域に配置されている（図６参照）。
【００２５】
図１及び図３に示されるように、止水部材５０は、下枠部３２の段差３６に固定される固定部５２と、この下枠部３２の表面３２Ａの段差３６よりも浴室外側に載置される両端が閉塞された筒部５４と、筒部５４の上部（言い換えると、ドア枠内側の部分）から浴室内側へ張り出す張出部５６と、この張出部５６に形成されて閉じた状態のドア４０の表面４０Ａに接触する弾性シール部５８と、張出部５６に形成されて弾性シール部５８を上方（言い換えると、浴室外側）から覆うカバー部６０を備えている。
【００２６】
図２〜図４に示されるように、固定部５２は、段差３６に沿って左右方向に延びる板状の支持部５２Ａと、この支持部５２Ａから浴室外側へ張り出して挿入溝３７の開口部分に挿入配置される挿入部５２Ｂと、この挿入部５２Ｂの先端部に形成された挿入溝３７の開口部分よりも上下方向の長さが長く、挿入溝３７の奥に挿入配置される膨出部５２Ｃと、を含んで構成されている。なお、固定部５２は、膨出部５２Ｃを挿入溝３７の開口部分を通して奥へ押し込むことで、支持部５２Ａと膨出部５２Ｃとで挿入溝３７の開口部分周辺を挟んだ状態で下枠部３２に固定される。
【００２７】
筒部５４は、固定部５２と一体形成されている。また、本実施形態の筒部５４は、段差３６に沿って左右方向に延び、断面が略矩形筒状とされている。この筒部５４は、外部から入力があると、弾性変形により断面形状が変化して該入力を吸収することができる。
【００２８】
張出部５６は、筒部５４と一体形成されている。また、本実施形態の張出部５６は、板状とされ、左右方向に延びている。また、張出部５６は、浴室内側に向かって上方に傾斜している。
【００２９】
弾性シール部５８は、張出部５６と一体形成されている。また、本実施形態の張出部５６は、板状とされ、張出部５６の張出方向と交差する方向に張り出している。具体的には、張出部５６の裏面（本実施形態では、下面）５６Ａから浴室内側に向かって下方に傾斜しながら張り出している。
【００３０】
また、図３及び図６に示されるように、弾性シール部５８の浴室内側の端部５８Ａ側には、ドア４０の段差４６と対向する位置に切り込み部６２が設けられている。本実施形態では、切り込み部６２が弾性シール部５８の端部５８Ａから張出部５６の裏面５６Ａまで形成されている。なお、本発明は上記構成に限定されず、切り込み部６２が張出部５６の裏面５６Ａまで到達しない構成であってもよい。
【００３１】
図２〜図４に示されるように、カバー部６０は、張出部５６の弾性シール部５８よりも先端部側を構成している。このため、カバー部６０は、弾性シール部５８と一体形成されている。また、本実施形態では、カバー部６０は、弾性シール部５８と同じ方向（左右方向）に延び、且つ、弾性シール部５８よりも上方（言い換えると、ドア枠内側）に位置している。この構成により、弾性シール部５８は、上方からカバー部６０によって覆われている。
【００３２】
また、カバー部６０は、奥行き方向の途中で下方に折れ曲がり、折れ曲がり部分６０Ａの先端部６０Ｂが弾性シール部５８の端部５８Ａと同様に、閉じた状態のドア４０の表面４０Ａに接触するように構成されている。
【００３３】
次に本実施形態の止水部材５０及びドアの止水構造２０の作用効果について説明する。
ドアの止水構造２０では、ドア４０を閉じると、弾性シール部５８の浴室内側の端部５８Ａ側がドア４０の表面４０Ａに接触する。ここで、弾性シール部５８の端部５８Ａ側で且つドア４０の表面４０Ａに形成された段差４６に対向する位置に切り込み部６２を設けていることから、切り込み部６２を挟んで左右両側の端部５８Ａ側がそれぞれ異なる角度で弾性変形して段差４６を挟んで左右両側の表面４０Ａ（具体的には、下框４２の浴室外側の表面４２Ａ、竪框４３の浴室外側の表面４３Ａ及び竪框４４の浴室外側の表面４４Ａ）にそれぞれ接触する（図９、図１０参照）。このため、止水部材５０とドア４０との間に生じる隙間を小さくできる。これにより、ドア枠３０とドア４０との間の止水性が向上する。
【００３４】
また、弾性シール部５８を浴室外側から浴室内側に向かって下方に傾斜させていることから、ドア４０を閉じると、ドア４０の表面４０Ａに弾性シール部５８の端部５８Ａ側の板面（上面）５８Ｂが接触する。このため、ドア４０の表面４０Ａと弾性シール部５８との接触面積が増えて止水性が向上する。また、弾性シール部５８を浴室外側から浴室内側に向かって下方に傾斜させることで、ドア４０を閉じて弾性シール部５８がドア４０の表面４０Ａに接触したときの弾性シール部５８の変形方向を一定に定めることができる。これにより、弾性シール部５８がドア４０の表面４０Ａに対してねじれて隙間が発生することを抑制することができる。
なお、本発明は、上記構成に限定されず、弾性シール部５８を浴室外側から浴室内側に向かって上方に傾斜させる構成としてもよい。この場合にも弾性シール部５８がドア４０の表面４０Ａに対してねじれて隙間が発生することを抑制することができる。
【００３５】
止水部材５０では、切り込み部６２が設けられた弾性シール部５８をカバー部６０で上方から覆うため、外観性の低下を抑制することができる（言い換えると、外観性を確保することができる。）。さらに、止水部材５０では、ドア４０を閉じると、カバー部６０の先端部６０Ｂがドア４０の表面４０Ａに接触するため、カバー部６０によって弾性シール部５８に設けられた切り込み部６２を確実に覆うことができる。すなわち、ドア４０を閉じることで、浴室外側の居住者から弾性シール部５８及びその切り込み部６２を覆い隠すことができる。
【００３６】
また、止水部材５０では、ドア４０を閉じると、図７及ぶ図８に示されるように、カバー部６０の先端部６０Ｂがドア４０の表面４０Ａに接触するため、弾性シール部５８とカバー部６０によって止水性が確保される。また、カバー部６０を奥行き方向の途中で下方に折り曲げて折れ曲がり部分６０Ａを形成している。このような折れ曲がり部分６０Ａは、ドア４０を閉じると、張出部５６が撓むように弾性変形するため、ドア４０の表面４０Ａに対して直交する方向に近づく。したがって、カバー部６０の先端部６０Ｂとドア４０の表面４０Ａとの接触面積が小さくなるため、応力を高くでき、止水性を確保できる。
【００３７】
以上のことから、本実施形態の止水部材５０及びドアの止水構造２０では、ドア枠３０とドア４０との間の止水性を向上させつつ、外観性も確保することができる。
【００３８】
前述の実施形態では、止水部材５０が弾性シール部５８を一つ備える構成としているが、本発明はこの構成に限定されず、止水部材５０は弾性シール部５８を複数備えてもよい。例えば、張出部５６に張出方向に間隔をあけて弾性シール部５８を複数設ける構成としてもよい。
【００３９】
また前述の実施形態では、ドア４０を片開きの開き戸としているが、本発明はこの構成に限定されない。例えば、ドア４０を両開きの開き戸としてもよい。また、ドア４０を引き戸としてもよいし、折戸としてもよい。
【００４０】
以上、実施形態を挙げて本発明の実施の形態を説明したが、これらの実施形態は一例であり、要旨を逸脱しない範囲内で種々変更して実施できる。また、本発明の権利範囲がこれらの実施形態に限定されないことは言うまでもない。
【符号の説明】
【００４１】
２０   止水構造
３０   ドア枠
３２   下枠部
４０   ドア
４０Ａ 表面
４６   段差
５０   止水部材
５２   固定部
５８   弾性シール部
６０   カバー部
６２   切り込み部
Ｗ     左右方向
ＵＰ   上方
Ｒ     浴室
【図１】
2015190207.tif 000003
【図２】
2015190207.tif 000004
【図３】
2015190207.tif 000005
【図４】
2015190207.tif 000006
【図５】
2015190207.tif 000007
【図６】
2015190207.tif 000008
【図７】
2015190207.tif 000009
【図８】
2015190207.tif 000010
【図９】
2015190207.tif 000011
【図１０】
2015190207.tif 000012